(57)【特許請求の範囲】
【請求項１】
表面開放状態のケース本体５０に、上端部に噛合い歯（９９，９９Ａ）を有する下方係合摺動体（９２，９２Ａ）を上下動自在に組込み、一方、受板７１に鎌片用窓７２を有するケース状可動ストライク７０の上端部に、前記噛合い歯に選択的に係合可能な被噛合い歯（１０９，１０９Ａ）を有する上方係合摺動体（１０５，１０５Ａ）を上下動可能に装着し、また可動ストライク７０のボックス部を形成する左右の側板７７を取り囲む鎌片受け入れ用嵌合口８８を有する長板状取付け板８５に前記ケース本体５０を一体的に組合わせ、この組合わせ状態に於いて、前記可動ストライク７０は、ケース本体５０内に装備したチリ設定用付勢バネ９０により、前記受板７１が取付け板８５の外壁面８５ａから突出するように付勢されていることを特徴とする引戸錠の鎌片受機構を有する受金具。
【請求項２】
請求項１に於いて、下方係合摺動体９２の噛合い歯９９は、階段状に形成されていることを特徴とする引戸錠の鎌片受機構を有する受金具。
【請求項３】
請求項１に於いて、下方係合摺動体９２Ａの噛合い歯９９Ａは、水平状態に連続形成されていることを特徴とする引戸錠の鎌片受機構を有する受金具。
【請求項４】
請求項１に於いて、可動ストライク７０は、ケース本体５０の上下のガイド間隙５８に嵌り合うスライド端板部７３を有し、長板状取付け板８５に前記ケース本体５０を一体的に組合わせ場合には、前記スライド端板部７３に形成した耳状部分７５の端面７６が取付け板８５の内壁面に当接することを特徴とする引戸錠の鎌片受機構を有する受金具。
【請求項５】
請求項１に於いて、下方係合摺動体９２の上端部に、鎌片２０の先端部２４が当接する先端用受部９５を設け、引戸１の閉戸時、下方係合摺動体９２は、前記先端用受部９５を介して鎌片に持ち上げられかつ上方係合摺動体１０５に係合することを特徴とする引戸錠の鎌片受機構を有する受金具。
【請求項６】
請求項１に於いて、上方係合摺動体１０５は、可動ストライク７０内に装備したバネ１１６のバネ力により下方係合摺動体９２に係合する方向に常時付勢されていることを特徴とする引戸錠の鎌片受機構を有する受金具。
【請求項７】
請求項１に於いて、下方係合摺動体９２は、ケース本体５０に設けられた小支板５３に取付けられた下方案内棒１００を介して案内されていることを特徴とする引戸錠の鎌片受機構を有する受金具。
【請求項８】
請求項１に於いて、上方係合摺動体１０５は、上スライド端板部７３に設けられた上方案内棒１１２を介して案内されていることを特徴とする引戸錠の鎌片受機構を有する受金具。
【請求項９】
請求項１に於いて、可動ストライク７０は、左右の対向側板７７の上下端部に、切欠によって形成された小突起状のバネ支持部７８をそれぞれ有し、これらのバネ支持部７８は、複数個のチリ設定用付勢バネ９０の各一端部をそれぞれ支持することを特徴とする引戸錠の鎌片受機構を有する受金具。
【請求項１０】
表面開放状態のケース本体５０内に、上端部に噛合い歯（９９，９９Ａ）を有する下方係合摺動体（９２，９２Ａ）を上下動自在に内装する工程と、一方、チリ設定用付勢バネ９０の一端部を可動ストライク７０のバネ支持部７８に嵌め込んだ状態で、受板７１に鎌片用窓７２を有するケース状可動ストライク７０の上端部に前記噛合い歯に選択的に係合可能な被噛合い歯（１０９，１０９Ａ）を有する上方係合摺動体（１０５，１０５Ａ）を上下動可能に装着する工程と、次いで、前記可動ストライク７０をケース本体５０に嵌め合わせる工程と、次いで、前記嵌合状態に於いて、第１固着具６１を介して、前記ケース本体５０を、鎌片受け入れ用嵌合口８８を有する取付け板８５に一体的に固着して受金具４を構成する工程と、しかる後に、前記取付け板８５の上下端部に形成した挿入孔８６に第２固着具８７を通して前記受金具を戸枠に取付ける方法。
【発明の詳細な説明】
【０００１】
【発明の属する分野】
本発明は、引戸錠の鎌片受機構を有する受金具及び該受金具を戸枠に取付ける方法に関する。
【０００２】
【従来の技術】
現在、引戸錠の閉戸時に、引戸の「上下ないし傾斜方向のガタツキ防止を防止するためのガタ無調整手段」と「戸の開口方向におけるチリ無調整手段」の両方を備えた鎌片用受金具の出現が要望されている。
【０００３】
その理由は、受金具を構成するトコヨケを戸枠の凹所内に固定した後に、ストライクを取り外してトコヨケ内の摺動ボックス等の位置を調整しなければならないとしたら、労力を要するのは当然の事ながら、このようにガタ調整をするには、熟練者が必要である。特に、引戸錠の受金具の鎌片受機構に対して、その技術的目的を、「ガタツキ防止」に設定した場合に於いて、例えばストライクの受板と鎌錠本体のフロントとの間に３ｍｍ，５ｍｍなど所定のチリを設定した時においては、引張り方向のガタツキ防止を可能な限り防止することが望まれる。
【０００４】
【発明が解決しようとする課題】
本発明は、以上のように、鎌片用受金具に於いて、「ガタ調整」や「チリ調整」をするためには熟練者の労力を必要とするので、この不便さを解消することを目的とする。そこで、第１の目的は、閉戸時に鎌片が施錠状態に成った場合に、鎌片に対する受金具側の「ガタ調整」や「チリ調整」の両方を調整しなくても良い、いわゆる無調整式の鎌片受機構を有する受金具及び該受金具を戸枠に取付ける方法を提供することである。第２の目的は、所定寸法のチリを設定してもガタ付き防止を確実に図ることができることである。この場合、望ましくは精密なガタツキ防止を図ることを目的とする。そして、可動ストライクの受板と錠本体のフロントとの間に所定のチリ（例えば３ｍｍ以内の隙間）を設定した範囲内においても、引戸錠の本施錠時にチリ設定に対応して上下の係合摺動体が選択的に係合し、これにより前記調整をしなくても常にガタツキ防止を図ることができることを目的とする。
【０００５】
【課題を解決するための手段】
本発明の引戸錠の鎌片受機構を有する受金具は、表面開放状態のケース本体５０に、上端部に噛合い歯（９９，９９Ａ）を有する下方係合摺動体（９２，９２Ａ）を上下動自在に組込み、一方、受板７１に鎌片用窓７２を有するケース状可動ストライク７０の上端部に、前記噛合い歯に選択的に係合可能な被噛合い歯（１０９，１０９Ａ）を有する上方係合摺動体（１０５，１０５Ａ）を上下動可能に装着し、また可動ストライク７０のボックス部を形成する左右の側板７７を取り囲む鎌片受け入れ用嵌合口８８を有する長板状取付け板８５に前記ケース本体５０を一体的に組合わせ、この組合わせ状態に於いて、前記可動ストライク７０は、ケース本体５０内に装備したチリ設定用付勢バネ９０により、前記受板７１が取付け板８５の外壁面８５ａから突出するように付勢されていることを特徴とする。
【０００６】
上記構成に於いて、下方係合摺動体の噛合い歯は、階段状或いは水平状態に連続的に形成されていることを特徴とする。
【０００７】
また本発明の受金具を戸枠に取付ける方法は、表面開放状態のケース本体５０内に、上端部に噛合い歯（９９，９９Ａ）を有する下方係合摺動体（９２，９２Ａ）を上下動自在に内装する工程と、一方、チリ設定用付勢バネ９０の一端部を可動ストライク７０のバネ支持部７８に嵌め込んだ状態で、受板７１に鎌片用窓７２を有するケース状可動ストライク７０の上端部に前記噛合い歯に選択的に係合可能な被噛合い歯（１０９，１０９Ａ）を有する上方係合摺動体（１０５，１０５Ａ）を上下動可能に装着する工程と、次いで、前記可動ストライク７０をケース本体５０に嵌め合わせる工程と、次いで、前記嵌合状態に於いて、第１固着具６１を介して、前記ケース本体５０を、鎌片受け入れ用嵌合口８８を有する取付け板８５に一体的に固着して受金具４を構成する工程と、しかる後に、前記取付け板８５の上下端部に形成した挿入孔８６に第２固着具８７を通して前記受金具を戸枠に取付けることを特徴とする。
【０００８】
【発明の実施の形態】
図１乃至図９により本発明の第１実施例を説明する。まず本発明の主要部を説明する前に、図７乃至図９を参照に発明の実施の環境を説明する。
【０００９】
Ｘは引戸錠で、この引戸錠Ｘは、引戸１側に取付けられる鎌錠本体２と、戸枠３側に取付けられ、かつ、鎌片受機構を構成する複数個の部材を組合わせた受金具４とから構成されている。
【００１０】
ここで本発明の特定要件ではないが、鎌錠本体２の構成についても説明する。５は引戸１の縦框に内装された錠ケースである。６は錠ケース５の開口部側に固定されたフロントで、フロント６は、普通一般に錠ケース５の蓋板７に固定されている。８はフロント６並びに蓋板７に形成された進退動部材用窓、９は鎌片用出入口である。
【００１１】
１１は錠ケース５内に摺動自在に装着された進退動部材である。この進退動部材１１は、閉戸時、後述する受金具を構成する可動ストライクの表面に当接する当接面を有する先端部１２と、この先端部１２に水平方向に連設する後端部１３とを有し、前記後端部１３にはトリガーバネ１４用支持穴１５が形成されている。１７は水平突出杆１１の下部側壁に形成されたラックである。
【００１２】
２０は鎌片である。鎌片２０は、基部にピニオン２１を備えると共に、錠ケース５内に支軸２２を介して軸支され、かつ、進退動部材１１の後退動に連動して可動ストライクと掛合する方何へ回転する。鎌片２０は、ピニオン２１を有する基部２３、可動ストライクと係合する鉤状先端部２４、該先端部に連設する幅広後端部２５を有し、前記幅広後端部２５の尻部には、ラチェット状の複数個の係合歯２７が形成されている。
【００１３】
３０は錠ケース５内に上下方向に摺動自在に設けられたスライド操作板である。このスライド操作板３０は、閉戸時、本施錠をする時に図示しない操作摘みを操作すると下降する。３１はスライド操作板用のバネで、該バネ３１はクリック機能を有する。
【００１４】
４０は鎌片２０の下方に軸支され、かつ、前記スライド操作板３０の下端部に形成された窓状の被係合部３２と係合する係止ピン４１を有する係止爪片である。この係止爪片４０は、スライド操作片３０の下端部を案内する機能を有する固定軸４２に軸支され、スライド操作片３０が下降すると、固定軸４２を支点に鎌片の係合歯２７に係合する方向へと回転する。
【００１５】
したがって、上記鎌錠本体２に於いては、いわゆる本施錠時（閉戸時）、進退動部材１１が可動ストライクの受板（表面）に当たって後退し、これにより鎌片２０の先端部２４が回転進出して受金具４に入り込み、可動ストライク７０の裏面と掛合状態になる（図８参照）。次いでスライド操作片３０が下降すると、係合爪片４０が鎌片の係合歯２７に係合して鎌片２０の後退を阻止する（図９参照）。
【００１６】
以上のように鎌片２０を備える鎌錠本体２との関係に於いて、本発明の主要部（受金具における鎌片受機構）が使用される。そこで、次に図１乃至図６を参照に本発明の第１実施例を説明する。
【００１７】
まず、戸枠３に取付けられる受金具４は、図１及び図２で示すように表面開放状態のケース本体５０と、このケース本体に表面側が突出するように組込まれるケース状可動ストライク７０と、この可動ストライク７０のボックス部（左右の側板と端板部）７７，７３を囲むようにケース本体に嵌め合わせられ、かつ、前記ケース本体５０と一体化される長板状取付け板８５と、ケース本体５０と可動ストライク７０に内装され、かつ、可動ストライク７０と共に鎌錠本体２の鎌片受機構を構成する各部材とから成る。そこで、これらの構成部材について順番に説明する。
【００１８】
さて、ケース本体５０は、当業者間では、一般に「トロヨケ」と称されている。普通一般に称されているトロヨケと、本実施例のケース本体５０とは、次に列挙する点が異なっている。
（ａ）戸枠３に形成した凹所内に入り込むチャンネル形状ボックス部の垂直底壁５１の内壁面に、ケース本体５０の開口５２方向に突出した小支板５３が設けられている点、
（ｂ）前記垂直底壁５１の上下端部側をそれぞれ対向状態に折り曲げ形成して出来た上下壁５４，５５の左右端縁と、これらの上下壁５４，５５に対する左右の側壁５６，５７の上下端縁との間に、後述の可動ストライクの端板部７３が入りこむことが可能な若干のガイド隙間５８，５８がそれぞれ設けられている点、
（ｃ）前記上下壁５４，５５の端部を垂直方向にそれぞれ折り曲げて形成した上下の取付用突壁５９，６０の適宜部位に、ケース本体５０と取付け板８５とを一体化する第１固着具６１用の小孔６２，６２がそれぞれ形成されている点、
（ｄ）そして、もっぱら後述する下方案内棒を取付ける際に利用するために、前記下壁５５に貫通孔６３を形成した点である。なお、突壁５９，６０の符号６４は、後述する取付け板８５の上下部にそれぞれ形成した挿入孔８６に符合する符合孔であり、これらの符合孔・挿入孔６４，８６には、受金具４を戸枠３に固定するための第２固着具８７が入り込む。
【００１９】
しかして、前述した小支板５３は、垂直底壁５１の適宜部位の一部を内側に折り曲げて形成したものであり、しかも、下方案内棒用貫通小孔６５を有している。
【００２０】
次に可動ストライク７０について説明する。普通一般にストライクはトロヨケに固定されるが、本実施例では可動部材である。この可動ストライク７０は、図２で示すように裏側開放状態のボツクス形状をしており、ケース本体５０の開口５２に向き合うように該ケース本体５０内に水平移動可能に嵌め合わせられる。図１はケース本体５０に可動ストライク７０をスライド可能に組合わせた状態の一例を示している。
【００２１】
しかして、７１は表側の受板で、この受板７１の下端部には鎌片の先端部が入り込む矩形状の鎌片用窓７２が形成されている。受板７１の外壁面には、前述した進退動部材１１やフロント６が当接可能である。一方、受板７１の内壁面には、鎌片２０の先端部２４が掛合可能である。７３は受板７１の上下端部をそれぞれ開口方向へ折り曲げて形成したスライド端板部で、これら上下のスライド端板部７３は、ケース本体５０のガイド間隙５８，５８にそれぞれ摺動自在に差込まれる。
【００２２】
スライド端板部７３は、本実施例では折り曲げ付近の寸法の短い部分７４と、この短い部分７４に連設する寸法の長い耳状部分７５に区分することができる。そして、耳状部分７５は短い部分７４に対して左右に突出しているので、その突出している表側の垂直端面７６が取付け板８５の内壁面に当る。それ故に、取付け板８５は可動ストライク７０に対してストッパー的機能を有している。
【００２３】
７７は左右に対向する側板である。側板７７の上下端部には、切欠によって形成された小突起状のバネ支持部７８が形成されている。また、側板７７の上部の適宜部位には、縦方向に左右一対の垂直案内部（縦溝、垂直長孔等）７９が形成されている。
【００２４】
さらに、上下のスライド端板部７３について説明すると、上スライド端板部７３は、後述する上方案内棒用の貫通孔８０を有し、一方、下スライド端板部７３には、下方案内棒の下部に当接しないように平面Ｕ字型状の切欠部８１が形成されている。
【００２５】
次に取付け板８５について説明する。取付け板８５は端面チャンネル形状に形成され、前述したように上下部に第２固着具８７用の挿入孔８６，８６を有している。この取付け板８５は、ケース本体５０との関係で座板的機能、受金具４を戸枠３に取付け固定する意味合いでの取付機能の他に、前述した可動ストライク７０の短い部分７４或いは耳状部分７５の長さとの関係で、該可動ストライク７０の飛び出し量を決めるチリ設定機能を有している。
【００２６】
すなわち、長板状の取付け板８５には、可動ストライク７０の受板７１の幅寸法並びに高さ（縦）寸法を考慮して設定された縦長状の嵌合口８８が設けられ、この嵌合口８８から「チリ（図５の符合ａ）」を設定した分だけ、可動ストライク７０の前方（表側）部が突出する。
【００２７】
ここで、「チリ」とは、図５で示すように取付け板８５の外壁面８５ａを基準にして可動ストライク７０の受板７１の突出した寸法（例えば１ｍｍ，３ｍｍ，５ｍｍ等飛び出た量。）を言う。
【００２８】
それ故に、受金具４には、可動ストライク７０が取付け板８５の嵌合口８８から突出するように付勢する複数個、本実施例では合計４本のチリ設定用付勢バネ９０が内装され、それらの付勢バネ９０の一端部は、前述した可動ストライク７０のバネ支持部７８にそれぞれ支持されている。
【００２９】
なお、符号８９は、取付け板８５の上下端部に形成され、かつ、ケース体５０の小孔６２，６２に符合する第１固着具用のネジ孔である。
【００３０】
次にケース本体５０と可動ストライク７０に内装されかつ可動ストライク７０と共に鎌錠本体２の鎌片受機構を構成する各部材について説明する。
【００３１】
まず、図２と図３を見て頂きたい。９２はケース本体５０内の下部側に上下動自在に組込まれた下方（一方）の係合摺動体である。この下方係合摺動体９２の形態をケース本体５の形状との関係で説明する。９３は垂直底壁５１内に沿って昇降動する摺動背板で、この摺動背板９３には、小支板５３の位置を考慮して矩形状の案内窓９４が形成されている。ケース本体５の小支板５３は案内窓９４を貫通している。案内窓９４の大きさは、望ましくは摺動背板９３が上昇しても案内窓９４を形成する開口下辺に小支板５３が当接しないように設定してある。
【００３２】
９５は摺動背板９３の上端部の中央部に設けられた鎌片の先端用受部で、この先端用受部９５は摺動背板９３の上端部を開口５２方向へ略水平状態に折曲形成することにより出来ている。一方、９６は摺動背板９３の下端部の中央部に設けられた係合小支板で、この係合小支板９６の中央部には、貫通状態の案内小孔９７が形成されている。係合小支板９６も前記先端用受部９５と同様に摺動背板９３の下端部を開口５２方向へ略水平状態に折曲形成することにより出来ている。
【００３３】
９８は左右の側壁５６，５７に沿って昇降動する左右一対の摺動側板である。これらの摺動側板９８，９８の傾斜状上端部には、やや急な階段状の連続的な噛合い歯９９が形成されている。
【００３４】
しかして、１００は上端部がケース本体５０の小支板５３の貫通小孔６５に嵌め込まれ、一方、下端部は下方係合摺動体９２の前記係合小支板９６の案内小孔９７を貫通する下方案内棒である。この下方案内棒１００の上端部にはフランジ部１０１が設けられている。この下方案内棒１００は下方係合摺動体９２を上下方向に案内する機能を有している。
【００３５】
１０２は前記下方案内棒に巻装された復帰バネで、この復帰バネ１０２の下端部は常時下方係合摺動体９２の係合小支板９６に圧接している。それ故に、下方係合摺動体９２は、下方案内棒１００に案内されて上昇する時は、復帰バネ１０２のバネ力に抗して上昇する。
【００３６】
次に図２と図４を見て頂きたい。１０５はケース本体５０内の上部側に上下動自在に組込まれた上方（他方）の係合摺動体である。この上方係合摺動体１０５の形態を可動ストライク７０の形状との関係で説明する。
【００３７】
まず図２と図３を見て頂きたい。９２はケース本体５０内の下部側に上下動自在に組込まれた下方（一方）の係合摺動体である。この上方係合摺動体１０５は前記下方係合摺動体９２との係合関係を考慮して形成したものであるから、その形態、組合等の考え方は下方係合摺動体９２と共通的なものがある。
【００３８】
すなわち、１０６は左右両端部の壁面が可動ストライク７０の左右側板７７，７７の開放側端面と当接可能な垂直壁で、この垂直壁１０６の左右両端部には、可動ストライク７０の左右側板７７，７７の外壁面を摺動する左右一対の摺動側壁１０７が連設している。
【００３９】
しかして、前記背板に相当する垂直壁１０６の下端部には、下方係合摺動体９２の受部９５を受け入れることが可能な下向き切欠部１０８が形成されている。また、前記左右一対の摺動側壁１０７の傾斜状下端部には、下方係合摺動体９２の連続的な噛合い歯９９と係合可能な連続的な被噛合い歯１０９が形成されている。
【００４０】
また左右一対の摺動側壁１０７には、可動ストライク７０の垂直案内部７９を貫通する横方向の細長ガイド板１１０横設用の取付け孔１１１が形成されている。
【００４１】
さらに、垂直壁１０６の上端部には、上方案内棒１１２の下端部が貫通する案内小孔１１３を有する突片１１４が設けられている。
【００４２】
ところで、図４で示すように前記上方案内棒１１２は、上端部が可動ストライク７０の上スライド端板７３の貫通孔８０に嵌め込まれ、一方、下端部は上方係合摺動体１０５の前述した突片１１４の案内小孔１１３を貫通する訳であるが、この上方案内棒１１２の上端部にも下方案内棒１００と同様にフランジ部１１５が設けられている。この上方案内棒１１２は上方係合摺動体１０５を上下方向に案内する機能を有している。
【００４３】
１１６は前記上方案内棒に巻装されたバネで、このバネ１１６の下端部は常時上方係合摺動体１０５の突片１１４に圧接している。それ故に、上方係合摺動体１０５は、上方案内棒１１２に案内されて上降する時は、バネ１１６のバネ力に抗して上昇する。
【００４４】
上記構成に於いて、図５及び図６を参照に、本発明の主要部について説明する。なお、本発明は、各構成部材の組合わせとの関係に着目すると、新規な創作部分が多々あるが、本発明の特定要件との関係では、これらの新規事項を独立項に限定請求しないので、各部材の組合わせについての詳細な説明を割愛する。
【００４５】
図５及び図６は、上下の係合摺動体、上下の案内棒、付勢バネ等各部材がケース本体５０と可動ストライク７０に組込まれた状態に於いて、前記ケース本体５０が２個の第１固着具６１を介して取付け板８５に一体的に固定され、かつ、２個の第２固着具８７を介して受金具４が戸枠３の凹所に装着された状態を示している。
【００４６】
この取付け状態に於いて、受金具４の可動ストライク７０の受板７１外壁面７１ａは、取付け板８５の外壁面８５ａよにも「チリａ」を予め設定（例えば５ｍｍ）した分だけ、付勢バネ９０のバネ力により飛び出ている。
この時、取付け板８５の内壁面にスライド端板部７３の耳状部分７５の端面７６が当たっているので、可動ストライク７０は設定した「チリａ」を越えて嵌合口８８から食み出ない。可動ストライク７０は、その受板７１の外壁面７１ａを押すと、前記チリを設定した分だけ付勢バネ９０のバネ力に抗してケース本体５０内へと後退可能である。
【００４７】
そこで、今ここで、図７で示す開戸状態から引戸１を閉めた仮定する。引戸１を閉めると、前述したように図８のように動力変換機構（例えばラックとピニオンとの関係）により、鎌片２０は錠本体２の出入口９から出て、受金具４の鎌片用窓７２へと入り込む。受金具４に入り込んだ鎌片２０の先端部２４は、まず下方係合摺動体９２の受部９５に当たる。この時下方係合摺動体９２は、鎌片２０回転量に従って持ち上げられることになるから、下方係合摺動体９２は、下方案内棒１００に案内されかつ復帰バネ１０２のバネ力に抗して上昇する。下方係合摺動体９２が上昇すると、その連続的噛合い歯９９は、可動ストライク７０の突出位置如何に拘泥せずに、必ず上方係合摺動体１０５の連続的な被噛合い歯１０９に係合する（鎌片ないし引戸のガタ防止機能：ガタ無調整の意味合い）。
【００４８】
次に閉戸時、可動ストライク７０が錠本体２のフロント６に押圧されてケース体５０内へと後退すると、上方係合摺動体１０５は、細長ガイド板１１０を介して可動ストライク７０に移動可能に装着されているから、可動ストライク７０と共に、「チリ調整が必要な分だけ」ケース体５０内へと後退する。その時、上方係合摺動体１０５はバネ１１６に付勢されているから、上方案内棒１１２に案内されて下方へ滑動する。その結果、下方係合摺動体９２の噛合い歯９９と上方係合摺動体１０５の被噛合い歯の位置が若干変わる（自動的なチリ調整機能：チリ無調整の意味合い）。
【００４９】
次に特に図示しないが、上記第１実施例の受金具４を戸枠３の取付ける方法の発明について説明する。
【００５０】
（Ａ工程）まずケース本体５０の下方案内棒１００を垂直底壁５１の小支板５３に取付ける。この場合復帰バネ１０２を装着した状態で下方案内棒１００の下端部を貫通孔６３に一旦差込み、次いで、その上端部を小支板５３の貫通小孔６５に嵌め入れるが、予め下方案内棒１００の下端部を下方係合摺動体９２の係合支板９６の案内小孔９７に通した状態で下方係合摺動体と共に下方案内棒１００をケース本体５０に取付けた方が簡単にセットできる。特にかく、このＡ工程ではケース本体５０内に下方係合摺動体を上下動可能に内装する。
【００５１】
（Ｂ工程）次に、上方係合摺動体１０５を可動ストライク７０の上端部に上下動可能に取付ける。この場合上方係合摺動体１０５を可動ストライク７０の上端部に外嵌合するように嵌め合わせ、取付け孔１１１と垂直案内部７９とが一致した所で、細長ガイド板１１０を取付け孔１１１と垂直案内部７９に貫通状態に嵌め込む。これにより上方係合摺動体１０５は可動ストライク７０の上端部に一体的に取付けられる。そこで、この装備状態で可動ストライク７０をケース本体５０に嵌め合わせる。嵌め合わせる際には、可動ストライク７０の上下のスライド端板部７３をケース本体５０のガイド間隙５８に差込むようにする。なお、この工程Ｂの際には、付勢バネ９０の一端部を可動ストライク７０のバネ支持部７８に嵌め込んだ状態で可動ストライク７０をケース本体５０に嵌め合わせる。
【００５２】
（Ｃ工程）次に、上記嵌合状態に於いて、第１固着具６１を介してケース本体５０を取付け板８５に一体的に固着する。第１固着具６１は、ケース本体５０の小孔６２から取付け板８５のネジ孔８９へと差込み、これによりケース本体５０は取付け板８５に螺着される。
【００５３】
（Ｄ工程）しかる後に取付け板８５の上下端部に形成した挿入孔８６とケース本体５０の符合孔６４に第２固着具８７を通して受金具を戸枠の取付ける。
【００５４】
【実施例】
この欄では、本発明の主要部の変形例（第２実施例）を示す。なお、この変形例の説明に当って、第１実施例と同一の部分には、同一又は同様の符号を付して重複する説明を省略する。
【００５５】
図１０及び図１４に示す第２実施例に於いて、前記第１実施例と主に異なる点は、下方係合摺動体９２Ａの摺動側板９８Ａの上端部に形成した連続的な噛合い歯９９Ａが、水平状態に形成されていることである。
【００５６】
したがって、前記噛合い歯９９Ａに係合する上方係合摺動体１０５Ａの摺動側壁１０７Ａの被噛合い歯１０９Ａも水平状態の形成されている。なお、前記噛合い歯９９Ａは、望ましくはラチェット歯を採用している。
【００５７】
【発明の効果】
以上の説明から明らかなように、本発明にあっては、次に列挙するような効果がある。
（１）鎌片に対する「ガタ調整」や「チリ調整」の両方を調整しなくても良い、いわゆる無調整式の鎌片受機構を有する受金具及び該受金具を戸枠に取付ける方法を提供することができる。
（２）所定寸法のチリを設定してもガタ付き防止を確実に図ることができることである。この場合、上下の係合摺動体の噛合い歯が連続的なので、精密なガタツキ防止を図ることができる。そして、可動ストライクの受板と錠本体のフロントとの間に所定のチリ（例えば３ｍｍ以内の隙間）を設定した範囲内においても、引戸錠の本施錠時にチリ設定に対応して上下の係合摺動体が選択的に係合かるので、これによりチリ調整をしなくても常にガタツキ防止を図ることができることができる。
（３）請求項１０に記載の発明は、受金具を容易に戸枠に取り付けることができる。
【図面の簡単な説明】
図１乃至図９は本発明の第１実施例を示す各説明図。図１０乃至図１４は本発明の第２実施例（主要部の変形例）を示す各説明図。
【図１】斜視からの説明図（取付け板を分離して示す）。
【図２】分解斜視図。
【図３】ケース本体に下方係合摺動体を組合わせた場合の斜視図。
【図４】可動ストライクと関係する主な部材の説明図。
【図５】戸枠に受金具を取り付けた場合の説明図。
【図６】図５に於いて、受金具の内部構造を示す説明図。
【図７】第１実施例の実施の形態を示す説明図（開戸時状態）。
【図８】第１実施例の実施の形態を示す説明図（閉戸時の状態）。
【図９】図８に於いて、スライド操作片を下降した場合に説明図。
【図１０】第２実施例の図２と同様の図。
【図１１】第２実施例の図３と同様の図。
【図１２】第２実施例の図４と同様の図。
【図１３】第２実施例の実施の形態を示す説明図（開戸時の状態）。
【図１４】第２実施例の実施の形態を示す説明図（閉戸時戸の状態）。
【符号の説明】
Ｘ…引戸錠、１…引戸、２…（鎌）錠本体、３…戸枠、４…受金具、１１…進退動部材、１２…先端部、１７…ラック、２０…鎌片、２１…ピニオン、２４…鉤状先端部、３０…スライド操作板、４０…係止爪片、５０…ケース本体、５１…垂直底壁、５２…開口、５３…小支板、５４，５５…上下壁、５６，５７…側壁、５８…ガイド間隙、５９，６０…取付け用突壁、６１…第１固着具、６２…小孔、６３，８０…貫通孔、７０…可動ストライク、７１…受板、７２…鎌片用窓、７３…端板部、７６…耳状部分の端面、７７…側板、７８…バネ支持部、７９…垂直案内部、８１…切欠部、９２，９２Ａ…下方係合摺動体、９３…摺動背板、９４…案内窓、９５…先端用受部、９６…係合小支板、９７，１１３…案内小孔、９８，９８Ａ…摺動側板、９９，９９Ａ…噛合い歯、１００，１１２…案内棒、１０２…復帰バネ、１０５…上方係合摺動体、１０６…垂直壁、１０７，１０７Ａ…摺動側壁、１０９，１０９Ａ…被噛合い歯、１１４…突片、１１６…バネ、ａ…チリ。
【図１】
0004327343.tif 000002
【図２】
0004327343.tif 000003
【図３】
0004327343.tif 000004
【図４】
0004327343.tif 000005
【図５】
0004327343.tif 000006
【図６】
0004327343.tif 000007
【図７】
0004327343.tif 000008
【図８】
0004327343.tif 000009
【図９】
0004327343.tif 000010
【図１０】
0004327343.tif 000011
【図１１】
0004327343.tif 000012
【図１２】
0004327343.tif 000013
【図１３】
0004327343.tif 000014
【図１４】
0004327343.tif 000015